(57)【要約】【課題】DLNA対応装置に保存されたコンテンツを再生しようとする機器からDLNA対応装置へのアクセスの可否を判定可能にするアクセス制御装置、アクセス制御方法およびプログラムを提供する。【解決手段】ＤＬＮＡ規格に準拠しコンテンツを保持する保持装置と、ＤＬＮＡ規格に準拠した所定装置と、の各々と接続するアクセス制御装置であって、保持装置に保持されたコンテンツの提供を許可するかの問合せについての問合せ先を記憶する記憶手段と、所定装置から、保持装置に保持されたコンテンツのリストを要求する旨の取得要求を受信すると、記憶手段に記憶された問合せ先に、所定装置に対して保持装置に保持されたコンテンツの提供を許可するかの問合せを実行し、問合せの回答が許可を表す場合に、取得要求を保持装置に送信する制御手段と、を含む。【選択図】図１
2014174601.tif 000002
【特許請求の範囲】
【請求項１】
ＤＬＮＡ規格に準拠しコンテンツを保持する保持装置と、ＤＬＮＡ規格に準拠した所定装置と、の各々と接続するアクセス制御装置であって、
前記保持装置に保持されたコンテンツの提供を許可するかの問合せについての問合せ先を記憶する記憶手段と、
前記所定装置から、前記保持装置に保持されたコンテンツのリストを要求する旨の取得要求を受信すると、前記記憶手段に記憶された問合せ先に、前記所定装置に対して前記保持装置に保持されたコンテンツの提供を許可するかの問合せを実行し、前記問合せの回答が許可を表す場合に、前記取得要求を前記保持装置に送信する制御手段と、を含む、アクセス制御装置。
【請求項２】
請求項１に記載のアクセス制御装置において、
前記制御手段は、前記問合せの回答が拒否を表す場合に、空のコンテンツリストを前記所定装置に送信する、アクセス制御装置。
【請求項３】
請求項１または２に記載のアクセス制御装置において、
前記制御手段は、前記問合せの回答を保持し、その後、前記所定装置から前記取得要求を再度受信すると、保持された前記問合せの回答が許可を表す場合に、前記問合せを実行することなく前記取得要求を前記保持装置に送信する、アクセス制御装置。
【請求項４】
請求項１から３のいずれか１項に記載のアクセス制御装置において、
前記保持装置および前記所定装置の数は１以上であり、
前記制御手段は、特定の前記所定装置が特定の前記保持装置のコンテンツのリストを取得することを許可するか否かを表す旨の設定情報を保持し、前記特定の所定装置から、前記特定の保持装置に保持されたコンテンツのリストを要求する旨の取得要求を受信すると、前記設定情報が許可を表す場合、前記問合せを実行することなく前記取得要求を前記特定の保持装置に送信する、アクセス制御装置。
【請求項５】
請求項１から４のいずれか１項に記載のアクセス制御装置において、
前記制御手段は、前記アクセス制御装置に接続されている前記保持装置を認識し、認識している保持装置への前記取得要求を受信すると、前記記憶手段に記憶された問合せ先に前記問合せを実行し、前記問合せの回答が許可を表す場合に、前記取得要求を当該保持装置に送信する、アクセス制御装置。
【請求項６】
請求項１から５のいずれか１項に記載のアクセス制御装置において、
前記保持装置はＤＭＳであり、前記所定装置はＤＭＰ、ＤＭＣまたはＤＭＲである、アクセス制御装置。
【請求項７】
ＤＬＮＡ規格に準拠しコンテンツを保持する保持装置と、ＤＬＮＡ規格に準拠した所定装置と、の各々と接続するアクセス制御装置が行うアクセス制御方法であって、
前記保持装置に保持されたコンテンツの提供を許可するかの問合せについての問合せ先を記憶手段に記憶する記憶ステップと、
前記所定装置から、前記保持装置に保持されたコンテンツのリストを要求する旨の取得要求を受信すると、前記記憶手段に記憶された問合せ先に、前記所定装置に対して前記保持装置に保持されたコンテンツの提供を許可するかの問合せを実行し、前記問合せの回答が許可を表す場合に、前記取得要求を前記保持装置に送信する制御ステップと、を含むアクセス制御方法。
【請求項８】
コンピュータに、
ＤＬＮＡ規格に準拠する保持装置に保持されたコンテンツの提供を許可するかの問合せについての問合せ先を記憶手段に記憶する記憶手順と、
ＤＬＮＡ規格に準拠した所定装置から、前記保持装置に保持されたコンテンツのリストを要求する旨の取得要求を受信すると、前記記憶手段に記憶された問合せ先に、前記所定装置に対して前記保持装置に保持されたコンテンツの提供を許可するかの問合せを実行し、前記問合せの回答が許可を表す場合に、前記取得要求を前記保持装置に送信する制御手順と、を実行させるためのプログラム。
【発明の詳細な説明】
【技術分野】
【０００１】
本発明は、アクセス制御装置、アクセス制御方法およびプログラムに関し、例えば、ホームネットワーク内のDLNA（Digital Living Network Alliance）対応装置へのアクセスを制御するアクセス制御装置、アクセス制御方法およびプログラムに関する。
【背景技術】
【０００２】
DLNAは、家庭用電化製品、モバイル端末、パーソナルコンピュータ等の装置について、異なるメーカの装置間での相互接続性を容易にすることを目的に活動している団体である。
【０００３】
DLNAにて、デジタルコンテンツを共有するためのガイドライン（以下「DLNAガイドライン」と称する）が策定されている。近年、DLNAガイドラインに対応した装置（例えば、AV（Audio and Visual）機器）が続々と製品化されている。
【０００４】
DLNAガイドラインに対応したDMS（Digital Media Server）およびDMP（Digital Media Player）を使用することによって、例えば、ホームネットワークに接続されたDMSが保持するコンテンツを、ホームネットワークに接続されたDMPにて再生することができる（特許文献１参照）。
【０００５】
なお、DMSは、例えばホームネットワーク内に設置されたDVD（Digital Versatile Disk）レコーダー等の情報家電機器のようにコンテンツの保存や配信のための機能を備える機器で、UPnP（Universal Plug and Play）機能により、自身の「告知（Advertisement）」、「諸元情報（Description）の送信」を行い、自身が保持しているコンテンツのリストを通知する機能を有している機器を指している。
【０００６】
また、DMPは、例えばホームネットワーク内に設置されたテレビ等の情報家電機器のようにコンテンツの再生のための機能を備える機器で、同じくUPnP機能により、「探索（Search）」、「諸元情報（Description）の取得」、「情報家電機器の持つ機能の制御（Control）」を行い、DMSであるDVDレコーダー等の情報家電機器に保存されたデジタルコンテンツの取得、再生機能を有する機器を指している。
【先行技術文献】
【特許文献】
【０００７】
【特許文献１】特開２０１０−２３９４５６号公報
【発明の概要】
【発明が解決しようとする課題】
【０００８】
ホームネットワークに接続されたDMSが保持するコンテンツの再生は、DLNAガイドラインに対応したDMPがホームネットワークに接続されれば容易に行われる。このため、DMSの管理者が意図しないユーザによって、DMSが保持するコンテンツが閲覧されてしまう可能性がある。
【０００９】
また、近年、DLNAの枠を超えて、ホームネットワークに設置されたDMSが保持するコンテンツをホームネットワーク外から閲覧するための方法も多く提案されており、DMSの管理者が意図しないユーザによって、DMSが保持するコンテンツが閲覧されてしまう可能性は高くなっている。
【００１０】
したがって、DLNA対応装置に保存されたコンテンツを再生しようとする機器からDLNA対応装置へのアクセスの可否を制御するための手法が望まれている。
【００１１】
本発明の目的は、上記課題を解決可能なアクセス制御装置、アクセス制御方法およびプログラムを提供することである。
【課題を解決するための手段】
【００１２】
本発明のアクセス制御装置は、
ＤＬＮＡ規格に準拠しコンテンツを保持する保持装置と、ＤＬＮＡ規格に準拠した所定装置と、の各々と接続するアクセス制御装置であって、
前記保持装置に保持されたコンテンツの提供を許可するかの問合せについての問合せ先を記憶する記憶手段と、
前記所定装置から、前記保持装置に保持されたコンテンツのリストを要求する旨の取得要求を受信すると、前記記憶手段に記憶された問合せ先に、前記所定装置に対して前記保持装置に保持されたコンテンツの提供を許可するかの問合せを実行し、前記問合せの回答が許可を表す場合に、前記取得要求を前記保持装置に送信する制御手段と、を含む。
【００１３】
本発明のアクセス制御方法は、
ＤＬＮＡ規格に準拠しコンテンツを保持する保持装置と、ＤＬＮＡ規格に準拠した所定装置と、の各々と接続するアクセス制御装置が行うアクセス制御方法であって、
前記保持装置に保持されたコンテンツの提供を許可するかの問合せについての問合せ先を記憶手段に記憶する記憶ステップと、
前記所定装置から、前記保持装置に保持されたコンテンツのリストを要求する旨の取得要求を受信すると、前記記憶手段に記憶された問合せ先に、前記所定装置に対して前記保持装置に保持されたコンテンツの提供を許可するかの問合せを実行し、前記問合せの回答が許可を表す場合に、前記取得要求を前記保持装置に送信する制御ステップと、を含む。
【００１４】
本発明のプログラムは、
コンピュータに、
ＤＬＮＡ規格に準拠する保持装置に保持されたコンテンツの提供を許可するかの問合せについての問合せ先を記憶手段に記憶する記憶手順と、
ＤＬＮＡ規格に準拠した所定装置から、前記保持装置に保持されたコンテンツのリストを要求する旨の取得要求を受信すると、前記記憶手段に記憶された問合せ先に、前記所定装置に対して前記保持装置に保持されたコンテンツの提供を許可するかの問合せを実行し、前記問合せの回答が許可を表す場合に、前記取得要求を前記保持装置に送信する制御手順と、を実行させる。
【発明の効果】
【００１５】
本発明によれば、DLNA対応装置に保存されたコンテンツを再生しようとする機器からDLNA対応装置へのアクセスの可否を制御することが可能になる。
【図面の簡単な説明】
【００１６】
【図１】本発明の一実施形態のHGW（Home Gateway）装置１００を備えたホームネットワーク１０と、ユーザ端末２０と、を含むシステムを示した図である。
【図２】HGW装置１００の動作の概要を説明するための図である。
【図３】メール本文の一例を示した図である。
【図４】WEB設定ページ１０４の一例を示した図である。
【図５】管理情報作成動作を説明するためのシーケンス図である。
【図６】DMP１２からDMS１１に対するコンテンツリスト取得が許可された場合の動作を説明するためのシーケンス図である。
【図７】DMP１２からDMS１１に対するコンテンツリスト取得が拒否された場合の動作を説明するためのシーケンス図である。
【図８】問合せ記憶部１０５と制御部１０７とからなるHGW装置１００を示した図である。
【発明を実施するための形態】
【００１７】
以下、本発明の一実施形態について図面を参照して説明する。
【００１８】
図１は、本発明の一実施形態のHGW（Home Gateway）装置１００を備えたホームネットワーク１０と、ユーザ端末２０と、を含むシステムを示した図である。ホームネットワーク１０とユーザ端末２０とは、通信回線の一例であるインターネット３０に接続されている。
【００１９】
ホームネットワーク１０は、HGW装置１００とDMS１１とDMP１２とを含む。
【００２０】
ユーザ端末２０は、携帯電話網や有線の回線等を介してインターネット３０と接続されている。ユーザ端末２０は、メールの受信を行うメール受信部２１と、インターネット３０を介してHGW装置１００のWEB設定ページにアクセスするWEBページアクセス部２２と、を含む。
【００２１】
HGW装置１００は、アクセス制御装置の一例である。HGW装置１００は、DMS１１とDMP１２とに接続されている。
【００２２】
HGW装置１００は、UPnPコントロールポイント１０１と、DMS管理部１０２と、コンテンツリスト要求メッセージ転送保留部（以下「転送保留部」と称する）１０３と、WEB設定ページ１０４と、問合せ先記憶部１０５と、確認依頼メール送信部１０６と、を含む。
【００２３】
UPnPコントロールポイント１０１は、ホームネットワーク１０内のDMS、DMPなどUPnPデバイスの探索を行う機能を持つ。
【００２４】
DMS管理部１０２は、UPnPコントロールポイント１０１にて検索されたDMSのIP（Internet Protocol）アドレスやDevice nameを管理する。
【００２５】
転送保留部１０３は、DMP１２から受信したDMS１１宛てのコンテンツリスト取得要求メッセージの転送を保留する。コンテンツリスト取得要求メッセージは、保持装置に保持されたコンテンツのリストを要求する旨の取得要求の一例である。
【００２６】
WEB設定ページ１０４は、ホームネットワーク１０に接続されているDMS１１のコンテンツリストの取得を許可・拒否する設定を行うためのWEBページである。
【００２７】
問合せ先記憶部１０５は、記憶手段の一例である。問合せ先記憶部１０５は、DMS１１に保持されたコンテンツの提供を許可するかの問合せについての問合せ先を記憶する。本実施形態では、問合せ先記憶部１０５は、問合せ先として、ユーザ端末２０のメールアドレスを記憶する。なお、ユーザ端末２０のユーザは、DMS１１やホームネットワーク１０の管理者であることが望ましい。
【００２８】
確認依頼メール送信部１０６は、問合せ先記憶部１０５に記憶された問合せ先に、コンテンツリスト取得の許可を問い合せる問合せメールを送信する。
【００２９】
なお、UPnPコントロールポイント１０１とDMS管理部１０２と転送保留部１０３とWEB設定ページ１０４と確認依頼メール送信部１０６とは、制御部１０７に含まれる。
【００３０】
制御部１０７は、制御手段の一例であり、DMP１２から、DMS１１宛てのコンテンツリスト取得要求メッセージを受信すると、問合せ先記憶部１０５に記憶されたユーザ端末２０のメールアドレスに問合せメールを送信する。制御部１０７は、問合せメールの回答が許可を表す場合に、DMS１１宛てのコンテンツリスト取得要求メッセージをDMS１１に転送する。
【００３１】
DMS１１は、DLNA規格に準拠しコンテンツを保持する保持装置の一例である。
【００３２】
DMP１２は、DLNA規格に準拠した所定装置の一例である。
【００３３】
次に、動作の概要を説明する。
【００３４】
図２は、HGW装置１００の動作の概要を説明するための図である。
【００３５】
DMP１２は、DMS１１のコンテンツを閲覧する場合、DMS１１に対して、DLNAで規定されているCDS（Content Directory Service）.Browseというアクションを使用することでDMS１１の保持するコンテンツの一覧の取得を行う。
【００３６】
そのため、HGW装置１００は、CDS.Browseアクションメッセージ（コンテンツリスト取得要求メッセージ）がDMP１２からDMS１１宛に送信されたことを監視することで、DMP１２からDMS１１に対して、DMS１１が保持するコンテンツリストの取得要求があったことを検出する（ステップＳ２０１）。
【００３７】
HGW装置１００は、DMP１２からDMS１１に対するコンテンツリストの取得要求（コンテンツリスト取得要求メッセージ）を受信した場合、コンテンツリスト取得要求メッセージ（CDS.Browse）をDMS１１に転送するのを一旦保留し、あらかじめHGW装置１００に登録されたユーザ端末２０のメールアドレス宛に問合せメールを送信し、DMS１１のコンテンツリストの取得をDMP１２に対して許可するかどうかの確認を求める（ステップＳ２０２）。
【００３８】
問合せメールの本文には、DMP１２からDMS１１にコンテンツリストの取得要求があったことについての記載と、DMS１１に対するコンテンツリスト取得要求の許可・拒否が設定されるHGW装置１００のWEB設定ページ１０４へのURL（Uniform Resource Locator）が記載されている。
【００３９】
問合せメールの本文の一例を図３に示す。
【００４０】
ユーザ端末２０のユーザは、ユーザ端末２０が問合せメールを受信すると、ユーザ端末２０に問合せメールを表示させる。続いて、ユーザ端末２０のユーザは、問合せメールに記載のWEB設定ページ１０４へのURLをユーザ端末２０上で選択し、ユーザ端末２０をWEB設定ページ１０４に接続する（ステップＳ２０３）。
【００４１】
続いて、ユーザ端末２０のユーザは、ユーザ端末２０を操作して、WEB設定ページ１０４に、DMP１２からのDMS１１に対するコンテンツリスト取得要求の許可または拒否を回答する（ステップＳ２０４）。
【００４２】
WEB設定ページ１０４の一例を図４に示す。
【００４３】
WEB設定ページ１０４に、DMS１１に対するコンテンツリスト取得要求の許可が設定された場合、HGW装置１００は、転送を保留していたDMP１２からのコンテンツリスト取得要求メッセージをDMS１１に転送する（ステップＳ２０５）。
【００４４】
DMS１１は、DMP１２からのコンテンツリスト取得要求メッセージを受信すると、そのReplyメッセージとしてDMS１１が保持しているコンテンツのリストを、HGW装置１００を介してDMP１２に送信する（ステップＳ２０６）。このため、DMP１２は、DMS１１が保持しているコンテンツのリストを取得できる。
【００４５】
一方、WEB設定ページ１０４に、DMS１１に対するコンテンツリスト取得要求の拒否が設定された場合、HGW装置１００は、転送を保留していたDMP１２からのコンテンツリスト取得要求メッセージをDMS１１に転送せず、DMS１１が保持しているコンテンツのリストをDMP１２が取得することを禁止する。
【００４６】
次に、動作の詳細を説明する。
【００４７】
まず、HGW装置１００がホームネットワーク１０に接続されたDMSの管理情報を作成する動作（以下「管理情報作成動作」と称する）を、図５を参照して説明する。なお、図５は、管理情報作成動作を説明するためのシーケンス図である。
【００４８】
UPnPコントロールポイント１０１は、M-Searchメッセージをマルチキャストし、ホームネットワーク１０のDLNA対応機器を探索する（ステップＳ５０１）。
【００４９】
M-Searchメッセージを受信したDMS１１は、M-Search Responseを返答し（ステップＳ５０２）、また、M-Searchメッセージを受信したDMP１２も、M-Search Responseを返答する（ステップＳ５０３）。
【００５０】
UPnPコントロールポイント１０１は、DMS１１からのM-search Responseを用いてDMS１１に対してDescription取得を要求し（ステップＳ５０４）、また、DMP１２からのM-search Responseを用いてDMP１２に対してDescription取得を要求する（ステップＳ５０５）。
【００５１】
DMS１１は、Description取得の要求に応じて、DMS１１のDescriptionをHGW装置１００に送信する（ステップＳ５０６）。また、DMP１２は、Description取得の要求に応じて、DMP１２のDescriptionをHGW装置１００に送信する（ステップＳ５０７）。
【００５２】
UPnPコントロールポイント１０１は、DMS１１、DMP１２からの各Descriptionからホームネットワーク１０に接続されたDMS１１、DMP１２のDevice nameやIPアドレスを取得する。
【００５３】
UPnPコントロールポイント１０１は、DMS１１およびDMP１２の各々から得られた情報（例えば、Device nameやIPアドレス）をDMS管理部１０２に提供する。
【００５４】
DMS管理部１０２は、UPnPコントロールポイント１０１からの情報を、ホームネットワーク１０に接続されたDMS、DMPの管理情報として管理する（ステップＳ５０８）。本実施形態では、DMS管理部１０２は、UPnPコントロールポイント１０１からの情報のうち、DMSについての情報を、DMSの管理情報として管理する。
【００５５】
次に、DMP１２からDMS１１に対するコンテンツリスト取得が許可された場合の動作について、図６を用いて説明する。なお、図６は、DMP１２からDMS１１に対するコンテンツリスト取得が許可された場合の動作を説明するためのシーケンス図である。
【００５６】
DMP１２はDMS１１のコンテンツを閲覧する場合、CDS.BrowseアクションメッセージをDMS１１に送信することによって、DMS１１が保持するコンテンツのリストを取得しようとする（ステップＳ６０１）。
【００５７】
HGW装置１００では、転送保留部１０３は、DMP１２からのCDS.Browseアクションメッセージ（コンテンツリスト取得要求メッセージ）を受信した場合、DMS管理部１０２で管理しているDMSの管理情報を検索し、CDS.Browseアクションメッセージの宛先IPアドレスがDMS管理情報の中に存在するかどうかを確認する（ステップＳ６０２）。
【００５８】
CDS.Browseアクションメッセージの宛先IPアドレスがDMS管理情報の中に存在する場合、転送保留部１０３は、CDS.BrowseアクションメッセージをDMS１１に転送するのを一旦保留し（ステップＳ６０３）、確認依頼メール送信部１０６にメール送信依頼を提供する。
【００５９】
確認依頼メール送信部１０６は、メール送信依頼を受け付けると、問合せ先記憶部１０５に記憶されたユーザ端末２０のメールアドレスに問合せメール（図３参照）を送信する（ステップＳ６０４）。
【００６０】
ユーザ端末２０のユーザは、ユーザ端末２０のメール受信部２１が問合せメールを受信すると、ユーザ端末２０に問合せメールを表示させる。続いて、ユーザ端末２０のユーザは、問合せメールに記載のWEB設定ページ１０４へのURLをユーザ端末２０上で選択する。これに応じて、ユーザ端末２０のWEBページアクセス部２２は、WEB設定ページ１０４（図４参照）に接続する（ステップＳ６０５）。
【００６１】
続いて、ユーザ端末２０のユーザは、ユーザ端末２０を操作して、WEB設定ページ１０４に、DMS１１に対するコンテンツリスト取得要求の許可または拒否を回答する。ここでは、許可が設定されたとする（ステップＳ６０６）。
【００６２】
WEB設定ページ１０４に許可が設定された場合、転送保留部１０３は、転送を保留していたDMP１２からのCDS.Browseアクションメッセージ（コンテンツリスト取得要求メッセージ）をDMS１１に転送する（ステップＳ６０７）。
【００６３】
CDS.Browseアクションメッセージを受信したDMS１１は、ReplyメッセージをDMP１２宛てに送信する（ステップＳ６０８）。ReplyメッセージにはDMS１１のコンテンツリストの情報が含まれている。
【００６４】
Replyメッセージを受信したDMP１２は、DMS１１の保持するコンテンツの情報を取得することができる。
【００６５】
DMP１２は、DMP１２のユーザの操作に応じて、コンテンツリストの中から閲覧予定のコンテンツを指定することにより、コンテンツの閲覧を行う（ステップＳ６０９）。
【００６６】
次に、DMP１２からDMS１１に対するコンテンツリスト取得が拒否された場合の動作について、図７を用いて説明する。なお、図７は、DMP１２からDMS１１に対するコンテンツリスト取得が拒否された場合の動作を説明するためのシーケンス図であり、図６に示した処理と同一の処理には同一符号を付してある。
【００６７】
以下では、DMP１２からDMS１１に対するコンテンツリスト取得が拒否された場合の動作について、図７を参照して、図６に示した処理と異なる点を中心に説明する。
【００６８】
ステップＳ６０５に続いて、ユーザ端末２０のユーザは、ユーザ端末２０を操作して、WEB設定ページ１０４に、DMS１１に対するコンテンツリスト取得要求の拒否を設定する（ステップＳ７０１）。
【００６９】
WEB設定ページ１０４に拒否が設定された場合、転送保留部１０３は、DMP１２に対して、コンテンツ情報が含まれない、空のコンテンツリストを返答する（ステップＳ７０２）。
【００７０】
空のコンテンツリストを受信したDMP１２は、結果としてDMS１１のコンテンツの情報を取得できないため、DMS１１のコンテンツの閲覧は不可となる（ステップＳ７０３）。
【００７１】
次に、本実施形態の効果について説明する。
【００７２】
本実施形態によれば、制御部１０７は、DMP１２から、DMS１１宛てのコンテンツリスト取得要求メッセージを受信すると、問合せ先記憶部１０５に記憶されたユーザ端末２０のメールアドレスに問合せメールを送信する。制御部１０７は、問合せメールの回答が許可を表す場合に、DMS１１宛てのコンテンツリスト取得要求メッセージをDMS１１に転送する。
【００７３】
このため、HGW装置１００でDMP１２からDMS１１へのコンテンツリストの取得に対してアクセス制御を行うことができる。その結果としてDMS１１が保持しているコンテンツを閲覧できる装置を、許可されたDMPに限定することができる。
【００７４】
なお、この効果は、問合せ記憶部１０５と制御部１０７とからなるHGW装置１００でも奏する。
【００７５】
図８は、問合せ記憶部１０５と制御部１０７とからなるHGW装置１００を示した図である。
【００７６】
本実施形態では、制御部１０７は、HGW装置１００に接続されているDMSを認識し、認識しているDMSへの取得要求（コンテンツリスト取得要求メッセージ：CDS.Browse）を受信すると、ユーザ端末２０に問合せを実行し、問合せの回答が許可を表す場合に、取得要求（コンテンツリスト取得要求メッセージ：CDS.Browse）を、要求されたDMSに送信する。
【００７７】
このため、ホームネットワーク１０のDMS１１が保持するコンテンツリスト取得のアクセス制御をHGW装置１００で一元管理することが可能になる。その結果として、ユーザの利用コスト（手間）を低減することが可能になる。
【００７８】
また、本実施形態では、コンテンツリスト取得の許可設定をHGW装置１００のWEB設定ページ１０４から行うことができる。その結果として、特別な知識を有していないユーザでも設定を行うことが可能になる。
【００７９】
本実施形態では、制御部１０７は、問合せの回答が拒否を表す場合に、空のコンテンツリストをDMP１２に送信する。このため、DMP１２にDMS１１の保持するコンテンツの情報が通知されることを抑制可能になる。
【００８０】
なお、本実施形態では、DMS１１の数を１としたが、DMS１１の数は複数でもよく、DMP１２の数を１としたがDMP１２の数は複数でもよい。
【００８１】
また、本実施形態では、DLNA規格に準拠した所定装置として、DMPが用いられたが、DLNA規格に準拠した所定装置は、DMPに限らない。例えば、DLNA規格に準拠した所定装置として、DMC（Digital Media Controller）またはDMR（Digital Media Renderer）が使用されてもよい。
【００８２】
また、本実施形態では、取得要求の一例として、コンテンツリスト取得要求のアクションメッセージ（CDS.Browse）が用いられたが、取得要求として、コンテンツリスト取得要求のアクションメッセージ（CDS.Browse）以外のアクションメッセージが用いられてもよい。
【００８３】
なお、制御部１０７は、問合せの回答を保持し、その後、DMP１２からコンテンツリスト取得要求メッセージ（CDS.Browse）を再度受信すると、保持された問合せの回答が許可を表す場合に、問合せを実行することなく、DMP１２からコンテンツリスト取得要求メッセージ（CDS.Browse）を、DMS１１に送信してもよい。この場合、既に得られた問合せの回答を再利用でき、問合せの回数を少なくできる。
【００８４】
また、制御部１０７は、特定のDMPが特定のDMSのコンテンツのリストを取得することを許可または拒否する旨の設定情報を表すテーブルを保持し、特定のDMPから、特定のDMSに保持されたコンテンツのリストを要求する旨の取得要求（コンテンツリスト取得要求メッセージ：CDS.Browse）を受信すると、テーブル内の設定情報が許可を表す場合、問合せを実行することなく、その取得要求（コンテンツリスト取得要求メッセージ：CDS.Browse）を特定のDMS１１に送信してもよい。この場合、問合せの回数を少なくできる。
【００８５】
なお、上記実施形態では、DMP１２はホームネットワーク１０内に接続されているが、DMP１２がホームネットワーク１０外にある場合でも適用可能である。
【００８６】
また、本実施形態において、HGW装置１００は、コンピュータにて実現されてもよい。この場合、このコンピュータは、コンピュータにて読み取り可能なＣＤ−ＲＯＭ（Compact Disk Read Only Memory）のような記録媒体に記録されたプログラムを読込み実行して、または、有線通信または無線通信で受信したプログラム（例えばアプリケーションプログラム）を受信し実行して、HGW装置１００として機能する。記録媒体は、ＣＤ−ＲＯＭに限らず適宜変更可能である。
【００８７】
以上説明した実施形態において、図示した構成は単なる一例であって、本発明はその構成に限定されるものではない。
【符号の説明】
【００８８】
１０      ホームネットワーク
１１      DMS
１２      DMP
２０      ユーザ端末
２１      メール受信部
２２      WEBページアクセス機能部
３０      インターネット
１００      HGW装置
１０１      コントロールポイント
１０２      DMS管理部
１０３      コンテンツリスト要求メッセージ転送保留部
１０４      WEB設定ページ
１０５      問合せ先記憶部
１０６      確認依頼メール送信部
１０７      制御部
【図１】
2014174601.tif 000003
【図３】
2014174601.tif 000004
【図４】
2014174601.tif 000005
【図５】
2014174601.tif 000006
【図６】
2014174601.tif 000007
【図７】
2014174601.tif 000008
【図８】
2014174601.tif 000009
【図２】
2014174601.tif 000010